(57)【要約】【課題】持ち上げるための有効な手掛かりを備え、且つ、上半身にも有効に運動負荷を付与できるバランス訓練機を提供する。【解決手段】人が座る座席１と、この座席１を前後、左右に揺動する駆動部とを備えたバランス訓練機において、座席１の前面及び背面には取手凹部１１がそれぞれ設けられているバランス訓練機。又、この取手凹部１１は、深さ方向が上方向になって設けられている。使用時には、座席１の座面１３に跨って着座し、取手凹部１１にそれぞれ片手ずつ手をかけて、体にひねりを生じさせた状態で座席１を揺動しバランス訓練を行う。【選択図】図１
2007259946.tif 000002
【特許請求の範囲】
【請求項１】
人が座る座席と、この座席を前後、左右に揺動する駆動部とを備えたバランス訓練機において、座席の前面及び背面には取手凹部がそれぞれ設けられていることを特徴とするバランス訓練機。
【請求項２】
取手凹部は、深さ方向が上方向になっていることを特徴とする請求項１記載のバランス訓練機。
【発明の詳細な説明】
【技術分野】
【０００１】
本願発明は、身体のバランス機能及び運動機能を訓練するために用いられるバランス訓練機に関するものである。
【背景技術】
【０００２】
従来から、特開２００４−２１６０７３号公報（特許文献１）に示されるように、座席に使用者を着座させた状態で座席を揺動運動させることで、使用者に運動負荷を付与するバランス訓練機は知られている。このバランス訓練機を活用することで、使用者は腰背筋郡の活性化、太ももの筋力強化、股関節の柔軟化等の効果を得ていた。
【０００３】
又、このバランス訓練機は図３に示すように、移動機構として座席９１及び台座９２を支持する脚部９３が備えられており、脚部９３の後端にはキャスター９４が設けられている。したがって、脚部９３の前方を持ち上げて、キャスター９４を床に接地させた状態で、バランス訓練機を移動させることができる。
【特許文献１】特開２００４−２１６０７３号公報
【発明の開示】
【発明が解決しようとする課題】
【０００４】
しかしながら、上記従来例であるバランス訓練機にあっては、移動機構は、キャスター９４が設けられた脚部９３が備えられているだけであり、バランス訓練機全体を持ち上げるための有効な手掛かりは設けられていない。したがって、キャスター９４での移動が難しい場所、例えば段差のある床を移動させる等の場合においては、困難な作業を強いられるものであった。又、このバランス訓練機は、座席９１の揺動運動による運動負荷は主に下半身に付与されるものであり、上半身に有効な運動負荷が付与されるものではない。
【０００５】
本願発明は、上記背景技術に鑑みて発明されたものであり、その課題は、持ち上げるための有効な手掛かりを備え、且つ、上半身にも有効に運動負荷を付与できるバランス訓練機を提供することである。
【課題を解決するための手段】
【０００６】
上記課題を解決するために、本願請求項１記載の発明では、人が座る座席と、この座席を前後、左右に揺動する駆動部とを備えたバランス訓練機において、座席の前面及び背面には取手凹部がそれぞれ設けられていることを特徴としている。
【０００７】
又、本願請求項２記載の発明では、上記請求項１記載のバランス訓練機において、取手凹部は、深さ方向が上方向になっていることを特徴としている。
【発明の効果】
【０００８】
本願請求項１記載のバランス訓練機においては、座席の前面及び背面に取手凹部をそれぞれ設けているため、この取手凹部を手掛かりとすることで、バランス訓練機をより容易に持ち上げて運ぶことができる。更に、使用時において、前面及び背面の取手凹部にそれぞれ片手ずつ手をかけて、体にひねりを生じさせた状態で揺動運動させることで、下半身と共に、上半身にも運動負荷が付与され、上半身の筋力を強化させることができる。
【０００９】
又、このバランス訓練機は、取手が凹部として形成されているため、座席から出っ張った形態で取手が設けられる場合と比べて、美観を悪くすることなく取手を設けることができる。
【００１０】
又、本願請求項２記載のバランス訓練機においては、取手凹部は、深さ方向が略上方向になっているため、取手凹部を手掛かりとする時に、指の引掛かりがよくなり、バランス訓練機をより容易に持ち上げることができる。更に、座席を揺動運動させる使用時においても、取手凹部に手をかけることで、指に大きな力をかけることなく容易に状態を保持し続けることができる。
【発明を実施するための最良の形態】
【００１１】
図１、２は、本願請求項１、２に対応した一実施形態であるバランス訓練機を示している。このバランス訓練機は、人が座る座席１と、この座席１を前後、左右に揺動する駆動部とを備えたバランス訓練機において、座席１の前面及び背面には取手凹部１１がそれぞれ設けられている。又、この取手凹部１１は、深さ方向が上方向になって設けられている。
【００１２】
以下、この実施形態のバランス訓練機を、より具体的詳細に説明する。図１に示すように、このバランス訓練機は、人が座る鞍状の座席１と、座席１の下面に備えられる台座２と、座席１及び台座２を支持する脚部３とから成っている。
【００１３】
座席１の上面には、着座した使用者の臀部、両太ももの裏側及び内側、両膝の内側が接触する鞍状の座面１３が形成されている。また、座席１の上面の前部中央には操作部１２を設けている。更に、座席１の前面における前方下面１４及び背面における後方下面１５には、それぞれ取手凹部１１が一つずつ設けられており、この取手凹部１１は深さ方向が上方向になっている。
【００１４】
台座２には座席１を揺動させる駆動部（図示せず）を内装してあり、この駆動部としては、例えば駆動源としてのモータと、モータの回転を座席１の揺動に変換する運動変換機構とを備えたものを使用する。この駆動部は操作部１２に接続されており、操作部１２により操作できるように設定されている。なお、本実施形態における駆動部は、座席１を前後方向に直進往復移動させると共に前後軸及び左右軸回りに回転往復移動させ、３自由度で座席１を揺動させるものとするが、揺動方向及び自由度はこれに限定されるものではない。又、上記座席１及び駆動部を備えたバランス訓練装置としては、例えば特開平２００１−２８６５７８号公報に示されるような既に従来から公知となっている機構を採用することができるものとする。
【００１５】
脚部３の後端にはキャスター３１が設けられており、脚部３の前方を持ち上げて、キャスター３１を床に接地させた状態で、バランス訓練機を移動させるようになっている。
【００１６】
このバランス訓練装置を用いてバランス訓練を行う場合は、使用者が図２に示すように座席１の座面１３に跨って着座し、操作部１２を操作することで駆動部を駆動させて座席１を揺動させ、前方下面１４及び後方下面１５の取手凹部１１にそれぞれ片手ずつ手をかけて、体にひねりを生じさせた状態でバランス訓練を行う。
【００１７】
したがって、この実施形態のバランス訓練機においては、座席１の前方下面１４及び後方下面１５に取手凹部１１をそれぞれ設けているため、この取手凹部１１を手掛かりとすることで、バランス訓練機をより容易に持ち上げて運ぶことができる。更に、使用時において、前面及び背面の取手凹部１１にそれぞれ片手ずつ手をかけて、体にひねりを生じさせた状態で揺動運動させることで、下半身と共に、脇腹を中心に上半身にも運動負荷が付与され、上半身の筋力を強化させることができる。
【００１８】
又、このバランス訓練機は、取手が凹部として形成されており、座席１から出っ張った形態で取手が設けられる場合と比べて、美観を悪くすることなく取手を設けることができる。
【００１９】
又、取手凹部１１は、深さ方向が略上方向になっているため、取手凹部１１を手掛かりとする時に、指の引掛かりがよくなり、バランス訓練機をより容易に持ち上げることができる。更に、座席１を揺動運動させる使用時においても、取手凹部１１に手をかけることで、指に大きな力をかけることなく容易に状態を保持し続けることができる。
【図面の簡単な説明】
【００２０】
【図１】本願発明の一実施形態であるバランス訓練機を示す側面図。
【図２】同バランス訓練機の使用状態を示す側面図。
【図３】従来例であるバランス訓練機を示す斜視図。
【符号の説明】
【００２１】
１  座席
11  取手凹部
【図１】
2007259946.tif 000003
【図２】
2007259946.tif 000004
【図３】
2007259946.tif 000005